(57)【要約】【課題】  カートリッジメモリへのアクセス中にドアオープンされた場合でも再プリントを行うまでの時間の短縮を実現する。【解決手段】  カートリッジメモリのエラー訂正手段を有し、エラー訂正手段によりエラー回復処理を行っている期間内にプリントを行う為のプレウォームアップ処理を開始する。【選択図】  図２
2006047475.tif 000002
【特許請求の範囲】
【請求項１】
トナーもしくはインクを含む消耗品を一体化した交換可能なカートリッジを有し、前記カートリッジはカートリッジを構成する各消耗品の使用頻度および画像形成装置を制御するための付加情報を記憶させるメモリと記憶データを通信するためのインターフェースを備えた記憶媒体ICを有し、画像形成装置は制御回路と接続された電極コネクタを有し、前記記憶媒体ICは電極面を備え、前記電極コネクタと接触することによってデータ通信線を確保し有線通信を可能とする画像形成装置において、
該メモリにはエラー訂正手段を有し、該エラー訂正手段によりエラー回復処理を行っている期間内にプリントを行う為のプレウォームアップ処理を開始することを特徴とする画像形成装置。
【請求項２】
請求項１の画像形成装置において、
コントローラと画像形成部との通信手段を有し、該コントローラから該画像形成部へプレウォームアップ信号が送信された場合にプリントを行う為のプレウォームアップ処理を開始することを特徴とした画像形成装置。
【請求項３】
請求項１の画像形成装置において、
エラー回復処理が終了する時間を推測して、エラー回復処理が終了するある一定時間前にプリントを行う為のプレウォームアップ処理を開始することを特徴とする画像形成装置。
【発明の詳細な説明】
【技術分野】
【０００１】
本発明は、レーザビームプリンタなどの電子写真方式の画像形成装置に関する。
【背景技術】
【０００２】
図１は従来の技術を説明する図である。
【０００３】
給紙カセット１に積載されているシート材２はカセット給紙ローラ3によって給紙され搬送ローラ４によりプリンタ内のシート材搬送路５上へ給紙され、ＴＯＰセンサ7により画像タイミング及びシート材の先端と後端の位置を検出する。また、レジストローラ６でシート材の先端を給紙センサにより合せ転写ローラ８、感光ドラム９へシート材を搬送する。スキャナモータ１５によって感光ドラム上に作成された潜像は転写ローラ８と感光ドラム９にてシート材にトナーを転写され、トナーをシート材に定着させるための加圧ローラ10、定着フィルム11、セラミックヒータ11-aに搬送され加圧定着された後、排紙ローラ12にて排紙される。排紙センサ１７は用紙が排出されたか否かを検出する。ＣＰＵ１３はヒータ駆動回路１４を制御してセラミックヒータ11-aの温度制御をおこなう。
【０００４】
メインモータ１６は転写ローラ８、感光ドラム９、加圧ローラ10を駆動する。
【０００５】
近年、膨大な個体数の製品等に対して、個別情報を記憶させ、それらと端末等の間で通信を行い、情報の書き換えを行うことにより、品質や流通等の情報管理が行われている。このようにデータの書き換えが可能な小型の送受信装置(素子)は、将来的には商業製品に限らず、医療や行政における個人のIDカードとして、または電子マネーのような有価証券としての利用など様々な応用展開が期待される。
【０００６】
これら装置（素子）の個体数や使用される環境等を考慮すると、各個体に付加する装置は、小型化および低コスト化、さらに耐久性の観点からも、内部回路の構成を簡易にすることが望ましい。同様にそれらと通信を行う送受信装置も簡易化することによって、これら情報管理システムの利便性向上につながると予想される。
【０００７】
各個体と送受信装置との通信手段としては、目的用途に合わせて、接触型(有線方式)や非接触型(無線方式)がある。本発明で扱う接触型は、非接触型で用いられる電磁誘導結合装置を必要としないため、低コストで小型のシステムが実現される。プリンタ装置においては、トナーカートリッジに記憶媒体を搭載し、プリンタエンジンとの通信を行うが、カートリッジとプリンタエンジンが必ず接触すること、カートリッジ交換およびジャム処理時のみにカートリッジ挿抜が限定され、接触型の短所である接点の摩耗が少ないことの２点を考慮すると、現在主流となっている非接触型よりも、低コストで、放射ノイズを軽減できる接触型のメリットを生かすことができる。
【０００８】
なお、カートリッジに記憶媒体を搭載して本体と通信する構成については、例えば特許文献１に記載されている。
【特許文献１】特開２０００−０１９８９１号公報
【発明の開示】
【発明が解決しようとする課題】
【０００９】
本発明は、以上のような従来の記憶媒体とのデータ送受信装置に鑑みて提案されるものであって、本発明が解決しようとする課題には次のようなものが挙げられる。
【００１０】
図３は本実施の形態における接触型送受信装置の構成例である。この例では、プリンタ装置１において、記憶メモリと記憶データを通信するためのインターフェースを有するメモリチップ3が付加されたカートリッジ2との有線通信を行う場合の例を挙げている。メモリチップ3には接点電極面が設けてあり、カートリッジ2をプリンタ装置１に挿入した際に、プリンタ装置1内の接点コネクタ4と接触が保持されることにより通信ラインが確保される。
【００１１】
メモリチップ3は小型化やバッテリー寿命等の問題から、メモリチップ自体は電源を持たず、外部の駆動回路により電源供給を受けるタイプが主流である。本実施例においても、駆動回路5を通して、プリンタ装置１から電源供給を受けながら、データ通信を行う。従って、駆動回路5は、メモリチップ3への電源供給、通信同期のためのクロック供給、そしてデータの送受信を行っている。
【００１２】
メモリチップ３には最適な画像を形成するために必要な各種情報等が書き込まれており、プリント毎にその内容が更新されている。このメモリへの書き込みを行っている途中でドアオープンされると、接触が解除されるのでメモリの内容が破壊される可能性がある。この対策の為に例えばバッファを複数設けることでメモリの一部が破壊された場合でももう一つのバッファと比較して正しい内容に書き戻すことでメモリの内容を保持することが行われている。しかし、特にローコストを実現するためにソフトウェアによりメモリへの書き込みを行う場合には、このバッファを比較して正しい内容に書き戻す処理に時間がかかり、数秒〜数10秒の時間を要することがあった。
【００１３】
本発明では、接触型送受信装置において、メモリタグチップへのアクセス中にドアオープンされた場合でも再プリントを行うまでの時間の短縮を実現することを目的とする。
【課題を解決するための手段】
【００１４】
本発明では、接触型送受信装置において、メモリタグチップへのアクセス中にドアオープンされた場合でも再プリントを行うまでの時間の短縮を実現することを目的とする。
【発明の効果】
【００１５】
本発明においては、プリント実行中にメモリタグへの書き込みを行っている最中にドアオープンされた後のデータエラーの回復処理にはダブルバッファの全てのデータを書き移す必要があるため多くの時間がかかる。ローコストのCPUを用い、ソフトウェアによりメモリタグ通信を行っている場合には数秒から数十秒ものエラー回復時間が必要となる。
【００１６】
このエラー回復処理を行っている時、CPU１３は再プリントが必要であるかをチェックし（２０９）再プリントが必要な場合にはプリント開始までに時間のかかる要因である定着器を前もって暖め、スキャナモータを前もって回転させ、高圧を印加して感光ドラム上に潜像をすぐに形成できる状態にするプレウォームアップ動作を開始する（２１０）。このプレウォームアップ動作を開始しておくことでエラー回復処理が終了すると（２１４）すぐに再びプリントを開始することができる状態になる。
【００１７】
この制御を行うことで、メモリタグのエラー回復処理が終了すると同時に再プリントを開始することができるユーザフレンドリーなプリンタをユーザに提供することができる。
【発明を実施するための最良の形態】
【００１８】
（第ｌの実施例）
図１、および図２は本発明の実施形態を説明する図である。
【００１９】
図１において、給紙カセット１に積載されているシート材２はカセット給紙ローラ3によって給紙され搬送ローラ４によりプリンタ内のシート材搬送路５上へTOPセンサ7により画像タイミング及びシート材の先端と後端の位置を検出する。また、レジストローラ６でシート材の先端を給紙センサにより合せ転写ローラ８、感光ドラム９へシート材を搬送する。転写ローラ８と感光ドラム９にてトナーを転写されたシート材はトナーをシート材に定着させるための加圧ローラ10、定着フィルム11、セラミックヒータ11-aに搬送され加圧定着された後、排紙ローラ12にて排紙される。ここで、サーミスタ11-bによりセラミックヒータの温度を検出して、ＣＰＵ13に伝達する。ＣＰＵ13はサーミスタ11-bの温度が所望の一定温度になるようにセラミックヒータへの印加電力をヒータ駆動回路14をコントロールする。メインモータ１５は転写ローラ８、感光ドラム９、加圧ローラ10を駆動する。
【００２０】
ＣＰＵ13はセラミックヒータ11-aにシート材が通過する期間においては用紙に与える熱量の分だけ余計に印加電力が大きくなるように制御を行ってセラミックヒータの温度一定に保つように制御を行う。
【００２１】
図２において、プリントを実行中に（２０１）、CPU13はメモリタグへの書き込みを開始する（２０２）。メモリタグへの書き込み中にドアオープンされると（２０３）図3に示すようにメモリタグと画像形成装置本体との間の接点が離れる可能性があるため、メモリタグとの通信を即座に終了させる必要がある（２０４）。この時、メモリタグへの書き込みを行っている最中にドアオープンされると書換えを行っている一部のみ書き換わった状態でメモリタグ通信が終了するため、メモリの一部が整合性のとれないデータに書き変わってしまっている可能性がある。また、ドアオープンされている間は接点が離れている可能性がある為、メモリタグとの通信を行わず、ドアクローズされてから（２０５）接点が確実に接続されている場合にCPU13はタグ通信を開始する（２０６）。このようにメモリの一部が整合性のとれないデータに書き変わってしまっている可能性に備えてメモリにはダブルバッファ領域が用意されており、どちらか一方のバッファ領域が整合性がとれないデータに書き換わってしまった場合にももう一方の領域のデータを書き戻すことでデータを回復することができるようになっており、まずダブルバッファのチェックを行う（２０７）。ダブルバッファのエラーが検出された場合（２０８）、データエラーの回復処理を開始する（２０９）。
【００２２】
データエラーの回復処理にはダブルバッファの全てのデータを書き移す必要があるため多くの時間がかかる。ローコストのCPUを用い、ソフトウェアによりメモリタグ通信を行っている場合には数秒から数十秒ものエラー回復時間が必要となる。
【００２３】
このエラー回復処理を行っている時、CPU１３は再プリントが必要であるかをチェックし（２０９）再プリントが必要な場合にはプリント開始までに時間のかかる要因である定着器を前もって暖め、スキャナモータを前もって回転させ、高圧を印加して感光ドラム上に潜像をすぐに形成できる状態にするプレウォームアップ動作を開始する（２１０）。このプレウォームアップ動作を開始しておくことでエラー回復処理が終了すると（２１４）すぐに再びプリントを開始することができる状態になる。
【００２４】
この制御を行うことで、メモリタグのエラー回復処理が終了すると同時に再プリントを開始することができるユーザフレンドリーなプリンタをユーザに提供することができる。
【００２５】
（第２の実施例）
第1の実施例において、再プリントが必要な場合には（２１０）画像コントローラがプレウォームアップコマンドを送信し、画像形成エンジンのCPU13はプレウォームアップコマンドを受信してからプレウォームアップ動作を開始する。このような制御を行うことでユーザの手を煩わせることなく自動的にジャム解除を行うことができるユーザフレンドリーなプリンタを提供することができる。
【図面の簡単な説明】
【００２６】
【図１】従来例および本発明の第1、２の実施例に係る画像形成装置。
【図２】第1の実施例を説明する図。
【図３】第1の実施例に関わる説明図。
【図４】第1の実施例に関わる接点構成図。
【符号の説明】
【００２７】
１  給紙カセット
２  シート材
３  給紙ローラ
４  搬送ローラ
５  シート材搬送路
６  レジストローラ
７  給紙センサ
８  転写ローラ
９  感光ドラム
１０  加圧ローラ
１１  定着フィルム
１１−ａ  セラミックヒータ
１１−ｂ  サーミスタ
１１−ｃ，ｄ  補助サーミスタ
１２  排紙ローラ
１３  ＣＰＵ
１４  ヒータ駆動回路
１５  スキャナユニット
１６  メインモータ
１７  排紙センサ
【図１】
2006047475.tif 000003
【図２】
2006047475.tif 000004
【図３】
2006047475.tif 000005
【図４】
2006047475.tif 000006